(57)【要約】【課題】本発明はこのような点に基づいてなされたものでその目的とするところは、使い勝手が良好であって耐久性に優れたストレッチ器具を提供すること。【解決手段】支持台と、上記支持台に対して回動可能に連結された足載置台と、上記支持台と足載置台の何れか一方に設けられた角度調整部材と、上記支持台と足載置台の何れか他方に設けられ上記角度調整部材の先端が係合する係合部と、を具備したものであり、角度調整部材を適宜移動させてその先端を係合部に係合させるだけで所望の傾斜角度に設定でき、使い勝手が大幅に向上するものである。【選択図】  図１
2005027695.tif 000002
【特許請求の範囲】
【請求項１】
支持台と、
上記支持台に対して回動可能に連結された足載置台と、
上記支持台と足載置台の何れか一方に設けられた角度調整部材と、
上記支持台と足載置台の何れか他方に設けられ上記角度調整部材の先端が係合する係合部と、
を具備したことを特徴とするストレッチ器具。
【請求項２】
請求項１記載のストレッチ器具において、
上記角度調整部材は、長尺角度調整部材と短尺角度調整部材とから構成されていることを特徴とするストレッチ器具。
【請求項３】
請求項２記載のストレッチ器具において、
上記長尺角度調整部材は左右一対の長尺角度調整爪から構成されており、又、上記短尺角度調整部材は左右一対の短尺角度調整爪から構成されていることを特徴とするストレッチ器具。
【請求項４】
請求項１〜請求項３の何れかに記載のストレッチ器具において、
上記支持台には踵を受ける踵受け部が設けられていて、該踵受け部は足載置台の傾斜角度の変化による踵の姿勢変化に応じて適宜移動可能な構成になっていることを特徴とするストレッチ器具。
【請求項５】
請求項１〜請求項４の何れかに記載のストレッチ器具において、
上記足載置台と支持台との間には傾斜角度調整時に足載置台の重量を軽減させる弾性部材が設けられていることを特徴とするストレッチ器具。
【請求項６】
請求項１〜請求項５の何れかに記載のストレッチ器具において、
上記足載置台に載った状態で屈伸した場合の屈伸量を示す指示部が設けられていることを特徴とするストレッチ器具。
【発明の詳細な説明】
【０００１】
【発明が属する技術分野】
本発明は、例えば、足の後ろ側から背中までの筋肉を伸ばすようなストレッチに好適なストレッチ器具に係り、特に、その使い勝手が良好であって耐久性にも優れたものに関する。
【０００２】
【従来の技術】
この種のストレッチ器具としては、例えば、特許文献１に開示されているようなものがある。
【０００３】
【特許文献１】
特開昭５９−１１５０６４号公報
【０００４】
上記特許文献１に開示されている「伸展柔軟運動用補助具」は、概略次のような構成になっている。まず、支持台があり、この支持台上には踏み台がヒンジ部を介して回動可能に取り付けられている。そして、上記踏み台を適宜回動させて、踏み台と支持台との間に角度調整部材を挿入・配置する。それによって、踏み台を所望の傾斜角度に設定する。後は、踵側が低くなるように踏み台上に立つことにより、足の後ろ側から背中までの筋肉を伸ばしてストレッチを施すものである。
因みに、この種のストレッチは、例えば、各種スポーツの前後に実施すると効果的である。
【０００５】
【発明が解決しようとする課題】
上記従来の構成によると次のような問題があった。
まず、使い勝手が悪いという問題があった。これは、角度調整部材が別部品として別体に設けられていることに起因しており、踏み台の傾斜角度を設定する場合には、その都度、角度調整部材を一旦外して再度差し込む必要があり、煩雑な作業を余儀なくされてしまうからである。
又、踏み台の傾斜角度の調整幅も決して大きなものではなく、より広範囲にて調整できることが要求されていた。
又、踏み台の傾斜角度が変化した場合には、踵の支持台の基部に対する当たり具合も変化することになるが、従来のストレッチ器具の場合には、その部分の構造は固定されているために、踏み台の傾斜角度が大きくなっていくにしたがって、踵の当たり具合が不快なものとなっていくという問題もあった。
その他材質等の点から耐久性に劣るという問題があった。
【０００６】
本発明はこのような点に基づいてなされたものでその目的とするところは、使い勝手が良好であって耐久性に優れたストレッチ器具を提供することにある。
【０００７】
【課題を解決するための手段】
上記目的を達成するべく本願発明の請求項１によるストレッチ器具は、支持台と、上記支持台に対して回動可能に連結された足載置台と、上記支持台と足載置台の何れか一方に設けられた角度調整部材と、上記支持台と足載置台の何れか他方に設けられ上記角度調整部材の先端が係合する係合部と、を具備したことを特徴とするものである。
又、請求項２によるストレッチ器具は、請求項１記載のストレッチ器具において、上記角度調整部材は、長尺角度調整部材と短尺角度調整部材とから構成されていることを特徴とするものである。
又、請求項３によるストレッチ器具は、請求項２記載のストレッチ器具において、上記長尺角度調整部材は左右一対の長尺角度調整爪から構成されており、又、上記短尺角度調整部材は左右一対の短尺角度調整爪から構成されていることを特徴とするものである。
又、請求項４によるストレッチ器具は、請求項１〜請求項３の何れかに記載のストレッチ器具において、上記支持台には踵を受ける踵受け部が設けられていて、該踵受け部は足載置台の傾斜角度の変化による踵の姿勢変化に応じて適宜移動する構成になっていることを特徴とするものである。
又、請求項５によるストレッチ器具は、請求項１〜請求項４の何れかに記載のストレッチ器具において、上記足載置台と支持台との間には傾斜角度調整時に足載置台の重量を軽減させる弾性部材が設けられていることを特徴とするものである。
又、請求項６によるストレッチ器具は、請求項１〜請求項５の何れかに記載のストレッチ器具において、上記足載置台に載った状態で屈伸した場合の屈伸量を示す指示部が設けられていることを特徴とするものである。
【０００８】
つまり、本願発明によるストレッチ器具は、支持台と、上記支持台に対して回動可能に連結された足載置台と、上記支持台と足載置台の何れか一方に設けられた角度調整部材と、上記支持台と足載置台の何れか他方に設けられ上記角度調整部材の先端が係合する係合部と、を具備したものであり、角度調整部材を適宜移動させてその先端を係合部に係合させるだけで所望の傾斜角度に設定でき、使い勝手が大幅に向上するものである。
その際、上記角度調整部材を、長尺角度調整部材と短尺角度調整部材とから構成することが考えられ、それによって、傾斜角度の調整範囲を拡大することができるものである。
又、上記長尺角度調整部材を左右一対の長尺角度調整爪から構成は、上記短尺角度調整部材を左右一対の短尺角度調整爪から構成することが考えられ、それによって、左右のバランスを保持することができるものである。
又、上記支持台に踵を受ける踵受け部を設けて、該踵受け部は足載置台の傾斜角度の変化による踵の姿勢変化に応じて適宜移動可能に構成することが考えられる。それによって、足載置台の傾斜角度が様々変化しても、それに対して、踵受け部が移動しながら最適な位置に設定されることになり、ストレッチ時の不快感をなくすことができる。
又、上記足載置台と支持台との間には傾斜角度調整時に足載置台の重量を軽減させる弾性部材を設けることが考えられる。この場合は、例えば、足載置台を持ち上げてその傾斜角度を大きくしようとする際に、足載置台の重量を感じることなく作業できるという利点がある。
又、上記足載置台に載った状態で屈伸した場合の屈伸量を示す指示部を設けることが考えられ、それによって、さらに使い勝手が向上することになる。
【０００９】
【発明の実施の形態】
以下、図１乃至図１３を参照して本発明の第１の実施の形態を説明する。まず、支持台１があり、この支持台１上には足載置台３が取り付けられている。上記支持台１は、図８に示すように、前側パイプ部材５と、後ろ側パイプ部材７と、これら前側パイプ部材５と後ろ側パイプ部材７との間に掛け渡された一対の板状部材９、１１等から構成されている。上記後ろ側パイプ部材７の左右両端には、脚部材１３、１５が取り付けられている。上記脚部材１３、１５間には、図１に示すように、湾曲部材１７が掛け渡されている。
【００１０】
上記足載置台３であるが、図１及び図２に示すように、その表面に、例えばゴム製の左足載置部材１９と右足載置部材２１が設けられている。又、これら左足載置部材１９と右足載置部材２１の間には突出部２３が設けられている。
【００１１】
上記足載置台３の下面側には、長尺角度調整部材２５と短尺角度調整部材２７が取り付けられている。上記長尺角度調整部材２５は、図１２に示すように、左右一対の長尺角度調整爪２９、３１から構成されている。同様に、上記短尺角度調整部材２７は、図１０に示すように、左右一対の短尺角度調整爪３３、３５から構成されている。
【００１２】
上記左右一対の長尺角度調整爪２９、３１は、図１２に示すように、連結部材３７を介して連結されていると共に、図４に示すように、軸部材３９を介して足載置台３に対して回動可能に取り付けられている。又、片側の長尺角度調整爪３１の外側には摘み部材４１が突設されている。この摘み部材４１を把持して長尺角度調整部材２５全体を回動させるものである。同様に、上記左右一対の短尺角度調整爪３３、３５は、図１０に示すように、連結部材４３を介して連結されていると共に、図４に示すように、軸部材４５を介して足載置台３に対して回動可能に取り付けられている。又、片側の長尺角度調整爪３５の外側には摘み部材４７が突設されている。この摘み部材４７を把持して短尺角度調整部材２７全体を回動させるものである。
【００１３】
一方、支持部１の一対の板状部材９、１１側の構成をみてみると、図８に示すように、まず、板状部材９側には、短尺角度調整爪用係合部５１と長尺角度調整爪用係合部５３が設けられている。上記短尺角度調整爪用係合部５１には、３箇所の係合凹部５５、５７、５９が形成されている。同様に、上記長尺角度調整爪用係合部５３には、３箇所の係合凹部６１、６３、６５が形成されている。
又、上記板状部材１１側にも同様の構成の短尺爪用係合部５１と長尺爪用係合部５３が設けられている。
【００１４】
さて、図１に示すように、既に説明した湾曲部材１７には、左右二箇所において、踵受け部７１、７３が取り付けられている。上記踵受け部７１は、図７に示すように、挟持部材７５を介して上記湾曲部材１７に取り付けられている。そして、挟持部材７５を介して適宜回動自在な構成になっている。同様に、踵受け部７３も、挟持部材７７を介して上記湾曲部材１７に取り付けられている。そして、挟持部材７７を介して適宜回動自在な構成になっている。
【００１５】
上記足載置台３の支持台１に対する連結部の構成であるが、図７及び図８に示すように、足載置台３は、軸部材８１を介して、支持台１に対して回動可能な状態で取り付けられている。又、上記軸部材８１の両端部には、コイルスプリング８３、８３が装着されている。このコイルスプリング８３の一端は支持台１側に係止されており、又、その他端は足載置台３に係止されている。それによって、足載置台３は常時上方に向けて回動付勢されている。
但し、上記コイルスプリング８３のスプリング力に対して足載置台３の重量が勝っているので、上方に向けて回動付勢されているものの実際には支持台３上に接地しているものである。そして、例えば、足載置台３の傾斜角度を大きくするべく上方に持ち上げようとした場合に、上記コイルスプリング８３が効果的に機能してその重量を軽減させて、作業性を向上させるものである。
【００１６】
既に説明した支持台１、足載置台３等の材質としては様々なものが想定されるが、この実施の形態においては、ＰＯＭにガラス繊維を２０％〜３０％含有させた樹脂製となっている。これによって、耐久性も大幅に向上しているものである。
又、図４に示すように、支持台１の前側パイプ部材５の長手方向中央部には、指示プレート８５が支持部材８７を介して取り付けられている。又、指示プレート８５には押圧板８９が取り付けられている。上記指示プレート８５には、屈伸時の屈伸量を示す目盛が表示されており、足載置台３上に立って前屈したときの屈伸量を認識することができるようにしてある。
【００１７】
以上の構成を基にその作用を説明する。
まず、非使用時には、図４に示すような状態にあり、足載置台３が支持台１上に接地された状態にある。
これに対して、使用時には、例えば、図１０及び図１１に示すような状態になる。図１０及び図１１に示す状態は、短尺角度調整部材２７を使用して足載置台３を傾斜させたものである。すなわち、足載置台３を持ち上げると共に摘み部材４７を把持して短尺角度調整部材２７を回動させる。そして、左右一対の短尺角度調整爪３３、３５の先端を、短尺角度調整爪用係合部５１、５１の各係合凹部５５、５７、５９の何れかに係合させる。それによって、足載置台３を任意の傾斜角度に設定することができる。
後は、図１１に示すように、足９１を足載置台３上に載せることにより、足の後ろ側から背中までの筋肉を伸ばすようなストレッチを施すことができる。
又、その際、踵受け部材７１、７３は、図１１に仮想線で示すように踵の姿勢に応じて回動していて、踵に不快感を与えないようになっている。
【００１８】
又、別の使用状態を図１２及び図１３に示す。図１２及び図１３に示す状態は、長尺角度調整部材２５を使用して足載置台３を傾斜させたものである。すなわち、足載置台３を持ち上げると共に摘み部材４１を把持して短尺角度調整部材２５を回動させる。そして、左右一対の長尺角度調整爪２９、３１の先端を、長尺角度調整爪用係合部５３、５３の各係合凹部６１、６３、６５の何れかに係合させる。それによって、足載置台３を任意の傾斜角度に設定することができる。
後は、図１３に示すように、足９１を足載置台３上に載せることにより、足の後ろ側から背中までの筋肉を伸ばすようなストレッチを施すことができる。
又、この場合も、踵受け部材７１、７３は、図１３に仮想線で示すように踵の姿勢に応じて回動していて、踵に不快感を与えないようになっている。
【００１９】
以上本実施の形態によると次のような効果を奏することができる。
まず、使い勝手が大幅に向上したものである。これは、足載置台３側に長尺角度調整部材２５、短尺角度調整部材２７を設けると共に、支持台１側に短尺角度調整爪用係合部５１、５１と長尺角度調整爪用係合部５３、５３を設け、長尺角度調整部材２５、短尺角度調整部材２７を適宜回動させて、その先端を短尺角度調整爪用係合部５１、５１と長尺角度調整爪用係合部５３、５３の任意の係合凹部に係合させるだけで、所望斜角度を得ることができるからである。
又、長尺角度調整部材２５、短尺角度調整部材２７を設けることにより、傾斜角度の調整幅が拡大され、広範囲にて傾斜角度を調整することができるようになった。
又、踵受け部７１が挟持部材７５を介して回動可能に取り付けられていて、足載置台３の傾斜角度の変化によって足９１の踵の姿勢が変化した場合には、それに応じて踵受け部７１が適宜回動して最適な姿勢になるので、ストレッチ時に踵に不快感を感じるようなこともない。
又、足載置台３は、コイルスプリング８３、８３によって、常時上方に回動付勢されているので、足載置台３の傾斜角度を大きくするべくこれを持ち上げる際にも、それ程足載置台３の重量感を感じることなく持ち上げることができ、作業性が大幅に向上するものである。
又、指示プレート８５が取り付けられているので、前屈時の屈伸量を測定することができる。
又、支持台１や足載置台３等は、ＰＯＭにガラス繊維を２０％〜３０％含有させた樹脂製となっているので、耐久性も大幅に向上しているものである。よって、繰り返しの使用に対してもその健全性が損なわれるようなことはない。
【００２０】
次に、図１４を参照して本発明の第２の実施の形態を説明する。これは、前記第１の実施の形態で示した左足載置部材１９と右足載置部材２１内に磁石を埋め込んだものである。図１４は、その内、左足載置部材１９を示すものであり、左足載置部材１９の裏面側には複数個の凹部１０１が形成されていて、それら凹部１０１内には円形の永久磁石１０３が埋め込まれているものである。
【００２１】
上記永久磁石１０３の仕様は次のようなものである。
磁石１０３の外径：１０ｍｍ
磁石１０３の厚み：２〜５ｍｍ
磁石１０３の強さ：１，３００ガウス
磁石１０３の個数：６個（両側で１２個）
尚、上記仕様は一例であり、外径、厚み、強さ、個数、配置等については様々な変形例が考えられる。
【００２２】
上記構成によると、前記第１の実施の形態の場合と同様の効果を奏することができることは勿論のこと、永久磁石１０３によって各部のこりをほぐしたり血行を良くしたりする効能が期待できる。
【００２３】
尚、本発明は前記第１、第２の実施の形態に限定されるものではない。
例えば、材質としては、ＰＯＭにガラス繊維を２０％〜３０％含有させた樹脂に限定されるものではなく、様々なものが想定される。例えば、アルミニウムのダイカスト製とすることも考えられる。
その他図示した構成はあくまで一例であり、様々な変形例が考えられる。
【００２４】
【発明の効果】
以上詳述したように本発明によるストレッチ器具によると、角度調整部材を適宜移動させてその先端を係合部に係合させるだけで所望の傾斜角度に設定でき、使い勝手が大幅に向上するものである。
又、角度調整部材を、長尺角度調整部材と短尺角度調整部材とから構成した場合には、傾斜角度の調整範囲を拡大することができる。
又、長尺角度調整部材を左右一対の長尺角度調整爪から構成し、短尺角度調整部材を左右一対の短尺角度調整爪から構成した場合には、左右のバランスを保持することができる。
又、支持台に踵を受ける踵受け部を設けて、該踵受け部は足載置台の傾斜角度の変化による踵の姿勢変化に応じて適宜移動可能に構成した場合には、足載置台の傾斜角度が様々変化しても、それに対して、踵受け部が移動しながら最適な位置に設定されることになり、ストレッチ時の不快感をなくすことができる。
又、上記足載置台と支持台との間には傾斜角度調整時に足載置台の重量を軽減させる弾性部材を設けた場合には、例えば、足載置台を持ち上げてその傾斜角度を大きくしようとする際に、足載置台の重量を感じることなく作業できる。
又、上記足載置台に載った状態で屈伸した場合の屈伸量を示す指示部を設けた場合には、さらに使い勝手が向上することになる。
【図面の簡単な説明】
【図１】本発明の第１の実施の形態を示す図で、ストレッチ器具の斜視図である。
【図２】本発明の第１の実施の形態を示す図で、ストレッチ器具の平面図である。
【図３】本発明の第１の実施の形態を示す図で、ストレッチ器具の底面図である。
【図４】本発明の第１の実施の形態を示す図で、図２のＩＶ−ＩＶ矢視図である。
【図５】本発明の第１の実施の形態を示す図で、図２のＶ−Ｖ矢視図である。
【図６】本発明の第１の実施の形態を示す図で、傾斜させた状態を示すストレッチ器具の側面図である。
【図７】本発明の第１の実施の形態を示す図で、図１のＶＩＩ−ＶＩＩ断面図である。
【図８】本発明の第１の実施の形態を示す図で、図６のＶＩＩＩ−ＶＩＩＩ断面図である。
【図９】本発明の第１の実施の形態を示す図で、図２のＩＸ−ＩＸ断面図である。
【図１０】本発明の第１の実施の形態を示す図で、第１使用状態を示すストレッチ器具の正面図である。
【図１１】本発明の第１の実施の形態を示す図で、第１使用状態を示すストレッチ器具の側面図である。
【図１２】本発明の第１の実施の形態を示す図で、第２使用状態を示すストレッチ器具の正面図である。
【図１３】本発明の第１の実施の形態を示す図で、第２使用状態を示すストレッチ器具の側面図である。
【図１４】本発明の第２の実施の形態を示す図で、図１４（ａ）は左足載置部材の平面図、図１４（ｂ）は図１４（ａ）のｂ−ｂ断面図である。
【符号の説明】
１  支持台
３  足載置台
２５  長尺角度調整部材
２７  短尺角度調整部材
２９  長尺角度調整爪
３１  長尺角度調整爪
３３  短尺角度調整爪
３５  短尺角度調整爪
５１  短尺角度調整部材用係合部
５３  長尺角度調整部材用係合部
８３  コイルスプリング
【図１】
2005027695.tif 000003
【図２】
2005027695.tif 000004
【図３】
2005027695.tif 000005
【図４】
2005027695.tif 000006
【図５】
2005027695.tif 000007
【図６】
2005027695.tif 000008
【図７】
2005027695.tif 000009
【図８】
2005027695.tif 000010
【図９】
2005027695.tif 000011
【図１０】
2005027695.tif 000012
【図１１】
2005027695.tif 000013
【図１２】
2005027695.tif 000014
【図１３】
2005027695.tif 000015
【図１４】
2005027695.tif 000016